(57)【要約】  【課題】  ラックとピニオンを使用して蓋の回動支点軸を移動させながらスムースに蓋を開閉させる。  【解決手段】  電子機器１は、蓋回動機構１４３により筐体２に設けた部品収納部の開口部を閉塞する第１の位置と、前記開口部を開放する第２の位置との間で回動可能に前記筐体２に取り付けられている。前記蓋回動機構１４３は、前記蓋の回動支点軸１４４と、該回動支点軸１４４を前記筐体２に移動可能に支持している長溝状の軸受１４５と、前記蓋６７の開閉に伴う前記回動支点軸１４４の回転によって前記回動支点軸１４４を前記長溝状の軸受１４５に沿って移動させるラック１４６とピニオン１４７を備えている。  【選択図】  図２３
2006186207.tif 000002
【特許請求の範囲】
【請求項１】
筐体の開口部を開閉する蓋と、該蓋を前記開口部を閉塞する第１の位置と前記開口部を開放する第２の位置との間で回動可能に前記筐体に取り付けている蓋回動機構と、を備え、
前記蓋回動機構は、前記蓋の回動支点軸と、該回動支点軸を前記筐体に移動可能に支持している長溝状の軸受と、前記蓋の開閉に伴う前記回動支点軸の回転によって前記回動支点軸を前記長溝状の軸受に沿って移動させるラックとピニオンを備えていることを特徴とする電子機器。
【請求項２】
前記回動支点軸は前記蓋に設けられ、前記長溝状の軸受は筐体に設けられていることを特徴とする請求項１に記載の電子機器。
【請求項３】
前記ピニオンは、前記回動支点軸の外周面に設けられ、前記ラックは、前記長溝状の軸受の軸移動方向に沿って設けられていることを特徴とする請求項１に記載の電子機器。
【請求項４】
前記長溝状の軸受は、前記収納部への収納部品の挿入・排出方向に対し略平行に設けられていて、前記蓋を閉じると前記回動支点軸が前記長溝状の軸受内を前記収納部品の挿入方向に移動し、前記蓋を開くと前記回動支点軸が前記長溝状の軸受内を前記収納部品の排出方向に移動することを特徴とする請求項１に記載の電子機器。
【請求項５】
前記蓋を閉じたときに前記回動支点軸を前記長溝状の軸受の軸移動方向の一端側に押し付け、前記蓋を開いたときに前記回動支点軸を前記長溝状の軸受の軸移動方向の他端側に押し付けるクリック機構を備えていることを特徴とする請求項１に記載の電子機器。
【請求項６】
前記クリック機構は、前記蓋に設けられて該蓋の回動に伴って回動するクリック軸と、前記筐体に設けられていて前記クリック軸の周面に接触しているバネ材と、で構成されていて、前記クリック軸の周面には、前記回動支点軸を前記長溝状の軸受の軸移動方向の一端側に押し付ける方向の付勢力を前記バネ材に発生させる第１のバネ接触面と、前記回動支点軸を前記長溝状の軸受の軸移動方向の他端側に押し付ける方向の付勢力を前記バネ材に発生させる第２のバネ接触面と、が前記クリック軸の回動方向に連続して設けられていることを特徴とする請求項５に記載の電子機器。
【請求項７】
第１のバネ接触面と第２のバネ接触面の境界部の前記クリック軸の回動軸心からの半径方向の距離は、前記クリック軸の回動軸心から前記第１、第２のバネ接触面までの半径方向の距離よりも大に設定されていることを特徴とする請求項６に記載の電子機器。
【請求項８】
前記蓋は、筐体に設けられた記録媒体収納部の開口部を開閉する蓋であることを特徴とする請求項１に記載の電子機器。
【発明の詳細な説明】
【技術分野】
【０００１】
本発明は筐体に設けた開口部、例えばメモリーカード等の収納部の開口部を開閉する蓋を備えた電子機器に関するものである。
【背景技術】
【０００２】
電子機器、例えばデジタルカメラ等の撮像装置の筐体にはメモリーカード等を収納する収納部が設けられていて、該収納部は、メモリーカード等を収納した後に、蓋で閉じられるようになっている。
【０００３】
図３０に示すように、筐体２０１の開口部２０２を開閉する蓋２０３は、軸２０４と軸受２０５とからなる蓋回動機構２０６によって、筐体２０１に取り付けられていて、前記開口部２０２を閉塞する第１の位置と、前記開口部２０２を開放する第２の位置との間で回動するようになっている。
【０００４】
ところで、前記蓋２０３の回動支点が固定されていると、軸２０４や軸受２０５を設ける位置が限定されてしまうため、蓋２０３を開いた場合に、例えば図３１に示すように、蓋２０３と筐体２０１の一部２０１ａが干渉して、蓋２０３を２点鎖線で示す全開状態にすることができないという欠点があった。
【０００５】
上記のような欠点を解消するため、蓋に回動支点軸としてのガイドピンを設ける一方、筐体にガイド溝を設け、前記ガイドピンをガイド溝に沿って移動させるようにした電子機器も開発されている。（例えば、特許文献１）
【特許文献１】特開２０００−１０１２６４号公報
【発明の開示】
【発明が解決しようとする課題】
【０００６】
ところで、特許文献１の電子機器は、ガイドピンの移動と回動を別々に行わなければならなかった。即ち、ガイドピンをガイド溝に沿って移動させてから蓋を回動させて、蓋の開閉を行わなければならなかいという問題点があった。
【０００７】
本発明の目的は、上記従来の問題点を解決し、蓋の回動と、回動支点軸の移動を同時に行うことのできる電子機器を提供することにある。
【課題を解決するための手段】
【０００８】
請求項１の発明は、筐体の開口部を開閉する蓋と、該蓋を前記開口部を閉塞する第１の位置と前記開口部を開放する第２の位置との間で回動可能に前記筐体に取り付けている蓋回動機構と、を備えた電子機器において、前記蓋回動機構を、前記蓋の回動支点軸と、該回動支点軸を前記筐体に移動可能に支持している長溝状の軸受と、前記蓋の開閉に伴う前記回動支点軸の回転によって前記回動支点軸を前記長溝状の軸受に沿って移動させるラックとピニオンと、で構成した。
【０００９】
請求項２の発明は、請求項１の電子機器において、前記回動支点軸を、前記蓋に設け、前記長溝状の軸受を筐体に設けた。
【００１０】
請求項３の発明は、請求項１の電子機器において、前記ピニオンを、前記回動支点軸の外周面に設け、前記ラックを、前記長溝状の軸受の軸移動方向に沿って設けた。
【００１１】
請求項４の発明は、請求項１の電子機器において、前記長溝状の軸受を、前記収納部への収納部品の挿入・排出方向に対し略平行に設け、前記蓋を閉じると前記回動支点軸が前記長溝状の軸受内を前記収納部品の挿入方向に移動し、前記蓋を開くと前記回動支点軸が前記長溝状の軸受内を前記収納部品の排出方向に移動するようにした。
【００１２】
請求項５の発明は、請求項１の電子機器において、前記蓋を閉じたときに前記回動支点軸を前記長溝状の軸受の軸移動方向の一端側に押し付け、前記蓋を開いたときに前記回動支点軸を前記長溝状の軸受の軸移動方向の他端側に押し付けるクリック機構を設けた。
【００１３】
請求項６の発明は、請求項１の電子機器において、前記クリック機構を、前記蓋に設けられて該蓋の回動に伴って回動するクリック軸と、前記筐体に設けられていて前記クリック軸の周面に接触しているバネ材と、で構成し、前記クリック軸の周面に、前記バネ材で押されて前記回動支点軸を前記長溝状の軸受の軸移動方向の一端側に押し付ける方向の付勢力を発生させる第１のバネ接触面と、前記蓋を閉塞位置から開放位置に向けて所定の角度回動させたときに、前記バネ材で押されて前記回動支点軸を前記長溝状の軸受の軸移動方向の他端側に押し付ける方向の付勢力を発生させる第２のバネ接触面と、を設けた。
【００１４】
請求項７の発明は、請求項６の電子機器において、第１のバネ接触面と第２のバネ接触面の境界部の前記クリック軸の回動軸心からの半径方向の距離を、前記クリック軸の回動軸心から前記第１、第２のバネ接触面までの半径方向の距離よりも大に設定した。
【００１５】
請求項８の発明は、請求項１の電子機器において、前記蓋で、筐体に設けられた記録媒体収納部の開口部を開閉する構成にした。
【発明の効果】
【００１６】
本発明の電子機器は、蓋を開閉させるとラックアンドピニオンにより自動的に蓋の回動支点軸を長溝状の軸受に沿って移動させることができる。また、蓋を閉じた状態にするとクリック機構のバネ材によって回動支点軸が長溝状の軸受の一端側に押し付けられて前記蓋は閉じた状態に維持され、蓋を開いた状態にするとクリック機構のバネ材によって回動支点軸が長溝状の軸受の他端側に押し付けられて前記蓋は開いた状態に維持される。また、蓋を閉じた状態から開いた状態に回動させ、或いは、蓋を開いた状態から閉じた状態に回動させる際に、第１のバネ接触面と第２のバネ接触面の境界部で前記バネ材を強く押して明確なクリック感を発生させることができる。
【発明を実施するための最良の形態】
【００１７】
以下、本発明の撮像装置を、（１）撮像装置全体の概略構成、（２）筐体の構成、
（３）メモリーカード収納部の蓋の構成、（４）バリヤの構成、（５）ローラの構成、（６）バリヤスライドガイド部の構成、（７）トグルバネの構成、（８）バッテリー収納部の蓋の構成、（９）バッテリーリリースレバーの構成、（１０）ストラップ金具の構成、（１１）作用、（１２）他の実施例、の順に説明する。
（１）撮像装置全体の概略構成、
図１Ａ、図１Ｂは本発明の撮像装置としてのデジタルカメラを第１の主面（正面）側から見た斜視図、図２は本発明のデジタルカメラを第２の主面（裏面）側から見た斜視図である。
【００１８】
前記デジタルカメラ１は、前記扁平な直方体形状の筐体２の第１の主面３に臨んで撮像レンズ４と、オートフォーカス用の補助光を発光させるためのＡＦイルミネータ５と、フラッシュ用の発光部６が配置されていて、図１Ａに示す前記撮像レンズ４、ＡＦイルミネータ５、フラッシュ用の発光部６を露出させる第１の位置と、図１Ｂに示す前記撮像レンズ４、ＡＦイルミネータ５、フラッシュ用の発光部６を隠蔽する第２の位置の間で移動可能なバリヤ（レンズカバー）７を備えている。前記筐体２の第１の主面３からは、前記筐体２に収容したアイリス駆動機構８の一部が突出している。
【００１９】
図１Ａに示すように、前記バリヤ７が前記第１の位置に在るときに該バリヤ７で隠蔽される位置で、かつ図１Ｂに示すように、前記バリヤ７が前記第２の位置に在るときにも該バリヤ７で隠蔽される位置に前記アイリス駆動機構８の一部が突出している。
【００２０】
前記バリヤ７は、略矩形状に形成されていて、四隅部には、前記筐体２の第１の主面３に接触する第１〜第４のローラ１１〜１４が設けられていると共に、移動方向の両側部には一対の第１,第２のバリヤスライドガイド部１５、１６が配置されている。そして、前記バリヤ７は、前記第１〜第４のローラ１１〜１４と第１,第２のバリヤスライドガイド部１５、１６とによって、前記筐体２の第１の主面３上を前記第１の位置と前記第２の位置の相互で移動するようになっている。
【００２１】
前記第１のバリヤスライドガイド部１５は、次の筐体の構成の項で詳しく説明するように、筐体２側に設けた第１のバリヤ係合体２５と、バリヤ側に設けられていて前記第１のバリヤ係合体２５がスライド可能に重合するレール状の第１のバリヤ係合体係合部９１と、からなっている。また、前記第２のバリヤスライドガイド部１６は、前記第１のバリヤスライドガイド部１５と同様に、前記筐体２側に設けた第２のバリヤ係合体２６と、バリヤ側に設けられていて前記第２のバリヤ係合体２６がスライド可能に重合するレール状の第２のバリヤ係合体係合部９２と、からなっている。
【００２２】
前記バリヤ７は、前記第１の位置に在るときには、図１Ａに示すように、バリヤ付勢バネ（以下、トグルバネと称する）１７のバネ力で前記第１,第２のバリヤ係合体２５、２６に前記レール状の第１,第２のバリヤ係合体係合部９１,９２の一端側に設けた第１のストッパー部１８が押し付けられて前記撮像レンズ４、ＡＦイルミネータ５、フラッシュ用の発光部６を露出させた状態に維持される。また、前記第２の位置に在るときには、図１Ｂに示すように、前記トグルバネ１７のバネ力で前記第１,第２のバリヤ係合体２５,２６に前記レール状の第１,第２のバリヤ係合体係合部９１,９２の他端側に設けた第２のストッパー部１９が押し付けられて前記撮像レンズ４、ＡＦイルミネータ５、フラッシュ用の発光部６および前記アイリス駆動機構８の一部を隠蔽した状態に維持される。
【００２３】
また、前記第１の主面３と前記第２の主面５１を結ぶ第２の端面（下端面）６５側には、前記筐体２内に設けたメモリーカード等の記録媒体収納部（以下、メモリーカード収納部と称する）６６の開口部を開閉するメモリーカード収納部用の蓋（以下、メモリーカード蓋と称する）６７が設けられている。また、前記第１の主面３と前記第２の主面５１を結ぶ第３の端面（右側端面）６８には、前記筐体２内のバッテリー収納部６９の開口部を開閉するバッテリー蓋７０と、前記バッテリー収納部６９へのバッテリーの挿入および前記バッテリー収納部６９からバッテリーの抜去を許容するバッテリーリリースレバー７１と、前記バッテリー蓋７０を開いたときに該バッテリー蓋７０が重なるストラップ金具７２と、マルチコネクター接続端子７３と、電源釦７４が設けられている。前記バッテリーリリースレバー７０は、前記バッテリー蓋６９の側方に、該バッテリー蓋６９と非重合状態に配置されている。
（２）筐体の構成、
図３は前記バリヤ７を取外した状態を示し、前記扁平な直方体形状の筐体２の第１の主面３の上端側の一隅部に臨んで撮像レンズ４が配置され、該撮像レンズ４の一側部にはＡＦイルミネータ５とフラッシュ用の発光部６が配置されている。
【００２４】
前記撮像レンズ４、ＡＦイルミネータ５、フラッシュ用の発光部６の下方にはベースプレート２１が取付けられている。前記ベースプレート２１には第１の開口部２２が設けられていて、該第１の開口部２２内に前記アイリス駆動機構８の一部が収容されている。また、前記ベースプレート２１には第２の開口部２３が設けられていて、該第２の開口部２３内には前記バリヤ７が前記第１の位置に在るか、或いは前記第２の位置に在るかを検出するために前記筐体２内に設けられているバリヤ位置検出スイッチ（図示省略）を操作するためのスイッチ操作体２４が配置されている。また、前記ベースプレート２１の両側部には、前記第１,第２のバリヤスライドガイド部１５、１６を構成する一対の第１,第２のバリヤ係合体２５，２６が設けられている。
【００２５】
図４の分解斜視図に示すように、前記ベースプレート２１には、前記第１,第２の開口部２２,２３の両側部に、前記第１,第２のバリヤ係合体２５，２６を取付けるための第１,第２のバリヤ係合体取付部３１,３２が設けられている。これら第１,第２のバリヤ係合体取付部３１,３２には、複数のボス部３３が設けられている。
【００２６】
前記スイッチ操作体２４は、板バネを略くの字状に折り曲げることにより形成されている。前記スイッチ操作体２４の一側部には、該スイッチ操作体２４を前記ベースプレート２３に取付けるための取付基部３４が設けられている。前記取付基部３４には前記第１のバリヤ係合体取付部３１に設けたボス部３３を挿入する複数のボス挿入孔３５が設けられている。
【００２７】
前記スイッチ操作体２４は、前記第２の開口部２３内に挿入した状態で前記取付基部３４に設けた複数のボス挿入孔３５に前記複数のボス部３３を挿入することにより前記第１のバリヤ係合体取付部３１に取付けられる。
【００２８】
また、前記第１のバリヤ係合体２５は、金属板を折り曲げることにより形成されている。前記第１のバリヤ係合体２５の一側部には、該第１のバリヤ係合体２５を前記ベースプレート２１に取付けるための取付基部４１が設けられている。前記取付基部４１には前記第１のバリヤ係合体取付部３１に設けたボス部３３を挿入する複数のボス挿入孔４２が設けられている。
【００２９】
そして、前述したように、前記第１のカバー係合体取付部３１に設けたボス部３３を前記第１のバリヤ係合体取付部３１の取付基部３４に設けたボス挿入孔３５に挿入したのち、これらボス部３３を前記取付基部４１に設けたボス挿入孔４２に挿入して、前記ボス部３３の先端部に所謂かしめ加工を施して拡径することにより、前記第１のバリア係合体２５は前記筐体２の第１の主面３との間にスイッチ操作体２６の取付基部３４を挟んだ状態で前記第１のバリヤ係合体取付部３１に取付けられる。なお、前記第１のバリヤ係合体２５の取付基部４１には複数の位置決めボス４３が設けられている。
【００３０】
前記位置決めボス４３は、前記第１のバリヤ係合体２５を前記第１のバリヤ係合体取付部３１に取付けたときに、前記ベースプレート２３に設けたボス挿入孔４４に嵌合して前記第１のバリヤ係合体２５の位置決めを行う。前記第１のバリヤ係合体２５の取付基部４１には前記トグルバネ１７の一端部を係止する第１のバネ係止部４５が設けられている。
【００３１】
また、前記第２のバリヤ係合体２６は、前記第１のバリヤ係合体２５と同様に金属板を折り曲げることにより形成されている。前記第２のバリヤ係合体２６の一側部には、該第２のバリヤ係合体２６を前記ベースプレート２３に取付けるための取付基部４６が設けられている。前記取付基部４６には前記第２のバリヤ係合体取付部３２に設けたボス部３３を挿入する複数のボス挿入孔４７が設けられている。
【００３２】
そして、前記第２のバリヤ係合体取付部３２に設けたボス部３３を前記取付基部４６に設けたボス挿入孔５２に挿入して、前記ボス部３３の先端部に所謂かしめ加工を施して拡径することにより、前記第２のバリヤ係合体２６は前記第２のバリヤ係合体取付部３２に取付けられる。なお、前記第２のバリヤ係合体２６の取付基部４６には位置決めボス４８が設けられている。前記位置決めボス４８は、前記第２のバリヤ係合体２６を前記第２のバリヤ係合体取付部３２に取付けたときに、該第２のバリヤ係合体取付部３２に設けた位置決めボス挿入孔４９に嵌合して前記第２のバリヤ係合体２６の位置決めを行う。なお、前記ベースプレート２１に設けた第１の開口部２２はアイリスカバーシート５０で塞がれて、前記第１の開口部２２から筐体２内への塵埃等の侵入が阻止される。
【００３３】
なお、図２Ａに示すように、前記筐体２の前記第１の主面３に対向する第２の主面５１には、液晶等の表示部５２と、モード切り替えスイッチ５３と、メニュー釦５４と、コントロール釦５５と、画面表示オンオフ釦５６と、スピーカー５７が設けられている。また、前記第１の主面３と前記第２の主面５１を結ぶ第１の端面（上端面）６１には、マイクロホン６２と、ズーム釦６３と、シャッター釦６４と、が設けられている。
（３）メモリーカード蓋の構成、
メモリーカード蓋６７は、メモリーカード収納部６６の開口部を開閉するものであり、図２３の断面図に示すように、蓋を閉じた状態において前記第１の主面３と前記第２の主面５１を結ぶ第２の端面（下端面）６５と略面一に重なる端面重合部（蓋本体部）１４１と、前記第２の主面５１に略面一に重なる主面重合部１４２と、を備えている。
【００３４】
前記モリーカード蓋６７は、蓋回動機構１４３により前記筐体２に取り付けられていて、前記メモリーカード収納部６６の開口部６６ａを閉塞する第１の位置（図２３）と、前記開口部６６ａを開放する第２の位置（図２５）との間で回動可能に前記筐体２に取り付けられている。
【００３５】
前記蓋回動機構１４３は、前記メモリーカード蓋６７の回動支点軸１４４と、前記前記回動支点軸１４４を前記筐体２に移動可能に取り付けている長溝状の軸受１４５と、前記メモリーカード蓋６７の開閉に伴う前記回動支点軸１４４の回転によって前記回動支点軸１４４を前記長溝状の軸受１４５に沿って移動させるラック１４６とピニオン１４７を備えている。
【００３６】
前記回動支点軸１４４は前記メモリーカード蓋６７に設けられ、前記長溝状の軸受１４５は筐体２に設けられている。前記ピニオン１４７は、前記回動支点軸１４４の外周面に設けられ、前記ラック１４６は、前記長溝状の軸受の１４５の軸移動方向に沿って設けられている。
【００３７】
前記長溝状の軸受１４５は、メモリーカード収納部６６へのメモリーカード１４８の挿入方向Ａ・排出方向Ｂに対し略平行に設けられていて、前記メモリーカード蓋６７を閉じると前記回動支点軸１４４が前記長溝状の軸受１４５内をメモリーカード１４８の挿入方向Ａに移動し、前記メモリーカード蓋６７を開くと前記回動支点軸１４４が前記長溝状の軸受１４５内をメモリーカード１４８の排出方向Ｂに移動する。
【００３８】
また、図２６に示すように、前記メモリーカード蓋６７を閉じたときに、前記回動支点軸１４４を前記長溝状の軸受１４５のメモリーカード１４８の挿入方向Ａの端部側に押し付け（図２３）、前記メモリーカード蓋６７を開いたときに前記回動支点軸１４４を前記長溝状の軸受１４５のメモリーカード１４８の排出方向Ｂの端部側に押し付ける（図２５）ためのクリック機構１５１を備えている。
【００３９】
前記クリック機構１５１は、前記メモリーカード蓋６７に設けられていて該メモリーカード蓋６７の回動に伴って回動するクリック軸１５２と、前記筐体２に設けられていて前記クリック軸１５２の周面に接触しているバネ材（板バネ）１５３と、で構成されている。前記クリック軸１５２の周面には、前記バネ材１５３で前記回動支点軸１４４を前記長溝状の軸受１４５のメモリーカード１４８の挿入方向Ａの端部側に押し付ける方向の付勢力を発生させるための第１のバネ接触面１５４と、前記回動支点軸１４４を前記長溝状の軸受１４５のメモリーカード１４８の排出方向Ｂの端部側に押し付ける方向の付勢力を発生させるための第２のバネ接触面１５５と、が前記クリック軸１５２の回動方向に連続して設けられている。
【００４０】
第１のバネ接触面１５４と第２のバネ接触面１５５の境界部１５６は、前記バネ材１５３に前記クリック軸１５２の回動力を発生させない所謂ニュートラル位置である。前記境界部１５６の前記クリック軸１５２の回動軸心Ｃからの半径方向の距離は、前記クリック軸１５２の回動軸心Ｃから前記第１，第２のバネ接触面１５４，１５５までの半径方向の距離よりも大に設定されている。なお、図２９は、メモリーカード蓋６７を開いた状態の斜視図であり、前記蓋回動機構１４３はメモリーカード蓋６７の両側部に一対配置され、前記クリック機構１５１は前記蓋回動機構１４３の内側に一対配置されている。
【００４１】
実施例のメモリーカード蓋６７は、上述のような構成であって蓋を閉じた状態においては、図２３に示すように、メモリーカード蓋６７の外面は、筐体２の外面と略面一の状態になる。そして、メモリーカード蓋６７を開くと、該メモリーカード蓋６７は、徐々に筐体２から突出していき、全開状態にすると、図２５に示すように、前記メモリーカード蓋６７は、主面重合部１４２の高さだけ前記筐体２の第２の主面５１から突出し、前記端面重合部（蓋本体部）１４１が前記第２の主面５１に対して平行状態になる。
（４）バリヤの構成、
図４に示すように、前記バリヤ７は、枠状の内側体８１と、該枠状の内側体８１に取付けられて前記スイッチ操作体２６を押圧操作するスイッチ操作体押圧部８２を設けた金属板８３と、該金属板８３を取付けた前記内側体８１の外面に両面接着シート８４等で取付けられた外側体８５と、からなっている。
【００４２】
前記内側体８１には、略四角形の切欠窓部８６が設けられていて、該切欠窓部８６に臨んで前記金属板８３が取付けられる。前記金属板８２には前記スイッチ操作体押圧部８２が切り起こし形成されていると共に、前記第１のバリヤ係合体２５の取付基部４１に設けた第１のバネ係止部４５に一端部を係止された前記トグルバネ１７の他端部を係止する第２のバネ係止部８７を設けた舌片８８が切り起こし形成されている。
【００４３】
前記金属板８３の周縁部には複数のボス挿入孔８９が設けられていて、これらボス挿入孔８９に前記内側体８１の切欠窓部８６の周縁部に設けたボス９０を挿入し、これらボス９０の先端にかしめ加工を施して拡径することにより前記金属板８３は前記内側体８１に取付けられる。
【００４４】
また、前記内側体８１の四隅部には前記筐体２の第１の主面３に接触する第１〜第４のローラ１１〜１４が配置されていると共に、移動方向の両側部には、前記ベースプレート２１に取付けた第１,第２のバリヤ係合体２５，２６が係合して移動するレール状の第１,第２のバリヤ係合体係合部９１，９２が設けられている。
【００４５】
前記第１のバリヤ係合体係合部９１は、前記内側体８１の一側部に形成した第１の長孔９３の一側部に沿って形成されている。また、前記第２のバリヤ係合体係合部９２は、前記内側体８１の一側部に形成した第２の長孔９４の一側部に沿って形成されている。前記第１,第２のバリヤ係合体２７，２８と前記レール状の第１,第２のバリヤ係合体係合部９１，９２とにより、前記第１,第２のバリヤスライドガイド部１５、１６が構成される。
（５）ローラの構成、
図５に示すように、前記第１〜第４のローラ１１〜１４は、円板状のローラ本体部９５と、該ローラ本体部９５の両側面から突出した回転中心軸９６を備えている。前記第１〜第４のローラ１１〜１４は、前記内側体８１の四隅部に設けた第１〜第４のローラ収容部９７に収容され、前記回転中心軸９６を中心にして回転自在になっている。
【００４６】
前記第１〜第４のローラ１１〜１４が回転自在に収容された前記第１〜第４のローラ収容部９７には側方から略コ字状のクリップ９８が取付けられて、前記第１〜第４のローラ１１〜１４が前記第１〜第４のローラ収容部９７から脱落するのを防止している。前記略コ字状のクリップ９８の対向する一対の辺９８ａには切欠窓９８ｂが設けられていて、該切欠窓９８ｂから前記円板状のローラ本体部９５の一部が突出している。
【００４７】
そして、前記内側体８１を前記筐体２の前記第１の主面３に重ね合わせると、前記第１〜第４のローラ１１〜１４が前記筐体２の前記第１の主面３に接触するようになっている。
（６）バリヤスライドガイド部の構成、
バリヤスライドガイド部は、文字通り前記バリヤ７の移動をガイドするものであり、図６に示すように、前記バリヤ７の一側部に第１のバリヤスライドガイド部１５が配置され、他側部に第２のバリヤスライドガイド部１６が配置されている。
【００４８】
前記第１のバリヤスライドガイド部１５は、前記筐体２に設けた第１のバリヤ係合体２５を前記内側体８１に設けたレール状の第１のバリヤ係合体係合部９１に係合させることにより構成されている。また、前記第２のバリヤスライドガイド部１６は、前記筐体２に設けた第２のバリヤ係合体２６を前記内側体８１に設けたレール状の第２のバリヤ係合体係合部９２に係合させることにより構成されている。
【００４９】
前記第１のバリヤ係合体係合部９１は、前記内側体８１の一側部に形成した第１の長孔９３を介して前記第１のバリヤ係合体２５が重ね合わされた状態で係合されて、前記第１〜第４のローラ１１〜１４を筐体２の主面３に軽く押し付けている。また、前記第２のバリヤ係合体係合部９２は、前記内側体８１の他側部に形成した第２の長孔９４を介して前記第２のバリヤ係合体２８が重ね合わされた状態で係合されて、前記第１〜第４のローラ１１〜１４を筐体２の主面３に軽く押し付けている。そして、前記第１,第２の長孔９３,９４の一側部に沿って、前記バリヤ７は、前記撮像レンズを露出させる第１の位置または撮像レンズを隠蔽する第２の位置に移動させるようになっている。
【００５０】
図６Ａに示すように、前記レール状の第１,第２のバリヤ係合体係合部９１，９２の長さ方向の一端側には、第１のストッパー１８が設けられていて、前記バリヤ７が前記第１の位置に移動したときに、前記第１のストッパー１８が前記第１,第２のバリヤ係合体２５,２６に当接して更なる移動が阻止される。また、図６（Ｂ）に示すように、前記第１,第２の長孔９３,９４の長さ方向の他端側には第２のストッパー１９が設けられていて、前記バリヤ７が前記第２の位置に移動してきたときに、前記第１,第２のバリヤ係合体２５,２６が当接して更なる移動が阻止される。なお、前記第２のバリヤ係合体係合部９２の第１,第２のストッパー部１８,１９は、前記第２，第４のローラ１２，１４が前記第１〜第４のローラ収容部９７から脱落するのを防止している前記略コ字状のクリップ９８で構成されている。
（７）トグルバネの構成、
トグルバネ１７は、前記バリヤ７が前記第１の位置に在るときに前記第１,第２のバリヤ係合体２５,２６に第１のストッパー部１８に押し付けて前記バリヤ７を開放状態に維持し、前記バリヤ７が前記第２の位置に在るときに前記第１,第２のバリヤ係合体２５,２６に前記第２のストッパー部１９に押し付けて前記バリヤ７を閉塞状態に維持する。
【００５１】
図７に示すように、前記トグルバネ１７は、コイル部１７ａと、該コイル部１７ａの一端から伸びる第１のアーム部１７ｂと、前記コイル部１７ａの他端から伸びる第２のアーム部１７ｃと、からなる所謂捻りコイルバネが使用される。
【００５２】
前記トグルバネ１７の第１のアーム部１７ｂは、前記第１のバリヤ係合体２５の取付基部４１に設けた第１のバネ係止部４５に回動可能に係止されている。また、前記トグルバネ１７の第２のアーム部１７ｃは、前記内側体８１に取付けた金属板８３（図４参照）の切起片８８に設けられた第２のバネ係止部８７に回動可能に係止されている。
【００５３】
前記トグルバネ１７は、前記バリヤ７が前記第１の位置に在るときには、図６Ａに示すように、前記第１,第２のバリヤ係合体２５,２６に第１のストッパー部１８を押し付けて前記バリヤ７を開放状態に維持する。そして、前記バリヤ７を第１の位置から第２の位置に移動させて行くと、前記トグルバネ１７のコイル部１７ａが回動（反転）し、前記バリヤ７が所定の位置まで移動してくると、前記トグルバネ１７のバネ力の作用方向が逆転して、図６Ｂに示すように、前記第１,第２のバリヤ係合体２５,２６に第２のストッパー部１９を押し付けて前記バリヤ７を閉塞状態に維持する。
（８）バッテリー蓋の構成、
図８に示すように、前記第１の主面３と前記第２の主面５１を結ぶ端面６８には、前記第１の主面２と前記第２の主面６８の間に設けたバッテリー収納部６９の開口部６９ａを開閉するバッテリー蓋７０と、前記バッテリー収納部６９へのバッテリーの挿脱を許容するバッテリーリリースレバー７１と、前記バッテリー蓋７０を開いたときに該バッテリー蓋７０が重なるストラップ金具７２と、マルチコネクター接続端子７３と、を備えている。前記バッテリーリリースレバー７１は、前記バッテリー蓋７０の長さ方向の一端部の外側に並べた状態で配置されている。
【００５４】
前記バッテリー蓋７０は、軸１０１により前記筐体２に回動可能に取り付けられていて、前記軸１０１を中心にして時計方向に回動させると、図８に示すように、前記筐体２の端面６８上に重なって、前記開口部６９ａを閉じる。また、図８に示す状態から反時計方向に略１００°回動させると、図９に示すように、前記バッテリー蓋７０は、開いた状態になり前記ストラップ金具７２に重なって更なる回動を規制されて前記ストラップ金具７２によって保護される。
【００５５】
図１０に示すように、前記軸１０１は弾性を有する金属棒によって形成されていて、その一端側には前記バッテリー蓋７０の閉塞時においては該バッテリー蓋７０を前記筐体２の端面６８側に押し付け、また、前記バッテリー蓋７０の開放時においては該バッテリー蓋７０を前記ストラップ金具７２に押し付けるバネ部１０２が設けられている。前記バネ部１０２は、前記軸１０１の一端側を折り曲げることにより該軸１０１と一体に形成されていて、図１２Ａ，図１２Ｂ， 図１２Ｃに示すように筐体２側に設けたバネ当接面１０２に接触している。
【００５６】
前記バッテリー蓋７０の閉塞時においては、図１２Ａに示すように、前記バネ部１０２は、筐体２側に設けたバネ当接面１０３に接触して、前記軸１０１およびバッテリー蓋７０に矢印Ａ方向（時計方向）の回動力を付与して前記バッテリー蓋７０を前記筐体２の端面６８側に押し付ける。図１２Ａに示す状態から前記バッテリー蓋７０を開放方向（矢印Ｂ方向）に回動させると、前記バネ部１０２は前記バネ当接面１０３で押されて変形して行き、図１２Ｂに示すように、前記バッテリー蓋７０が所定角度、例えば４５°開いたときに前記バネ部１０２は最も変形し、前記軸１０１およびバッテリー蓋７０に回動力を付与しない中立位置にくる。図１２ Ｂに示す状態から更に前記バッテリー蓋７０を開放方向（矢印Ｂ方向）に回動させると、今度は前記バネ部１０２によって前記バッテリー蓋７０を開放させる方向（矢印Ｂ方向）のバネ力が生じ、前記バッテリー蓋７０は、図１２Ｃに示すように、前記ストラップ金具７２に押し付けられて、前記筐体２の開口部６９ａを開放した状態に維持される。
（９）バッテリーリリースレバーの構成、
前記バッテリーリリースレバー７１は、図８、図９に示すように、一端部に設けたバッテリー係合部１０６が前記バッテリー収納部６９の開口部６９ａの一部を塞ぐ位置と前記開口部６９ａを開放する位置との間でスライド可能に前記第１の端面６８に設けたレバーガイド部１０７に取付けられている。前記バッテリーリリースレバー７１は、底面側に配置されているバネ材１０８により前記バッテリー収納部６９の開口部６９ａの一部を塞ぐ位置に付勢されている。前記バッテリー係合部１０６の上面は傾斜状のバッテリー押出面１０６ａになっている。
【００５７】
図１３に示すように、前記バッテリーリリースレバー７１を前記バネ材１０８のバネ力に抗してバッテリー１１１を挿入するのに支障のない位置、即ち前記開口部６９ａを開放する位置まで押し戻した状態でバッテリー１１１をバッテリー収納部６９に収納する。
【００５８】
バッテリー１１１をバッテリー収納部６９に収納したのち、前記バッテリーリリースレバー７１の押し戻しを解除すると、該バッテリーリリースレバー７１は、前記バネ材１０８のバネ力で自動的に前記バッテリー収納部６９の開口部６９ａの一部を塞ぐ位置まで復帰して、バッテリー１１１がバッテリー収納部６９から抜け出るのを防止する。そして、図１４に示すように、前記バッテリー蓋７０を閉じてバッテリー１１１の挿入作業が終了する。
【００５９】
前記バッテリー蓋７０を閉じた侭の状態で、前記バッテリーリリースレバー７１を押し戻すことが可能であると、前記バッテリーリリースレバー７１が誤って押し戻されたような場合に、バッテリー１１１がバッテリー収納部６９の奥端部に設けられているバッテリー接触端子１１２のバネ力等によりバッテリー収納部６９から押し出されてしまうことがある。押し出される量が僅かであると、前記バッテリー蓋７０の存在によって、バッテリー１１１がバッテリー収納部６９内に完全に収納されていないことが明確にならない場合がある。
【００６０】
そこで、図１３に示すように、前記バッテリーリリースレバー７１に蓋係合部１１３を設ける一方、前記バッテリー蓋７０にリリースレバー係合部１１４を設け、前記バッテリー蓋７０を閉じた状態にすると、図１５に示すように、前記蓋係合部１１３の側方に前記バッテリーリリースレバー係合部１１４が位置し、前記バッテリーリリースレバー７１を押し戻し方向に移動させようとすると、前記蓋係合部１１３が前記バッテリーリリースレバー係合部１１４に係合して前記バッテリー蓋７０を閉じた侭の状態で前記バッテリーリリースレバー７１が押し戻されるのを防止するようになっている。
【００６１】
前記バッテリー収納部６９からのバッテリー１１１の取り出しは、前記バッテリー蓋７０を開いた後に、前記バッテリーリリースレバー７１を前記バネ材１０８の付勢力に抗して押し戻すことによりなされる。前記バッテリーリリースレバー７１を押し戻して、バッテリー１１１の押さえを解除すると、図１６に示すように、バッテリー１１１は前記バッテリー接触端子１１２のバネ力等によりバッテリー収納部６９から僅かに押し出された状態になる。
【００６２】
また、前記バッテリー接触端子１１２のバネ力等によりバッテリー１１１が僅かに押し出された後に、前記バッテリーリリースレバー７１をバッテリー１１１に移動させれば、図１７に示すように、前記バッテリーリリースレバー７１のバッテリー係合部１０６の上面の傾斜状のバッテリー押出面１０６ａで前記バッテリー１１１のフレーム１１１ａに設けた傾斜面１１１ｂを押して前記バッテリー１１１を更にバッテリー収納部６９から押し出す。なお、前記バッテリー接触端子１１２およびバッテリーリリースレバー７１でバッテリー１１１をバッテリー収納部６９から押し出すことのできる量は僅かであるので、バッテリー１１１をバッテリー収納部６９からより多く突出させたい場合には、バッテリー収納部６９の奥端部に押出バネ（図示省略）を設け、該押出バネのバネ力でバッテリー１１１をバッテリー収納部６９からより多く突出させてもよい。
（１０）ストラップ金具の構成、
ストラップ金具７２は、落下防止のために手首用のリストストラップや首に掛けるネックストラップ等を取り付けるための金具であり、撮影時に親指等を当てることにより筐体２を保持し易くする働きもする。
【００６３】
前記ストラップ金具７２は、図２及び図１８に示すように、前記筐体２の端面６１の前記第２の主面５１側の側縁に沿って起立させた状態に形成されていて、前記第２の主面５１側の第１の面７２ａと反対側の第２の面７２ｂが前記バッテリー蓋７０の受面になっている。前記第２の面７２ｂは、前記筐体２の端面６１またはバッテリー収納部６９の開口部６９ａに対して少なくとも９０°よりも大きな傾斜角度θで形成されている。また、前記第１の面７２ａには、前記マルチコネクター接続端子７３に、次に説明するマルチコネクター１２１を接続したときに、該マルチコネクター１２１が前記マルチコネクター接続端子７３から抜けないように、該マルチコネクター１２１の係合部１２７が係合する溝状の被係合部１１５が設けられている。また、ストラップ金具７２には、ストラップを取付けるための孔１１６が設けられている。
【００６４】
図１９は、前記マルチコネクター接続端子７３に接続するマルチコネクター１２１を示す。前記マルチコネクター１２１は、ＤＣ入力端子１２２と、ＵＳＶ端子１２３と、Ａ／Ｖ出力端子１２４を第１の側面１２１ａに備え、前記マルチコネクター接続端子７３に挿入する端子１２５と、前記ストラップ金具７２を挿入するストラップ金具挿入凹部１２６を第２の側面１２１ｂに備え、前記ストラップ金具挿入凹部１２６の内面に臨んで前記ストラップ金具７２の溝状の被係合部１１５に係合する係合部１２７を備え、前記係合部１２７の前記被係合部１１５からの係合解除操作を行う係合解除釦１２８を第３の側面１２１ｃに備えている。
【００６５】
そして、図１９に示すように、カメラ１の略真横から前記マルチコネクター接続端子７３に端子１２５を挿入すれば、図２０に示すように、前記ストラップ金具７２が自ずと前記ストラップ金具挿入凹部１２６内に挿入されるとともに、前記係合部１２７が前記被係合部１１５に係合して、前記マルチコネクター１２１をカメラ１側にロックする。
【００６６】
図２１は、前記マルチコネクター１２１の要部の断面図である。前記爪状の係合部１２７は、軸１３１を中心に回動可能になっていて、バネ１３２によって前記ストラップ金具挿入凹部１２６内に突出している。そして、前記ストラップ金具７２を前記ストラップ金具挿入凹部１２６に挿入すると、該ストラップ金具７２の先端面７２ａで前記係合部１２７の先端の傾斜面１２７ａが押されて前記係合部１２７は、前記バネ１３２の付勢力に抗して逃げ方向に回動する。前記ストラップ金具７２が前記ストラップ金具挿入凹部１２６内に完全に挿入されて、前記ストラップ金具７２の先端面７２ａによる前記係合部１２７の先端の傾斜面１２７ａの押圧が解除されると、前記係合部１２７は、前記バネ１２９の付勢力で自動的に回動して前記溝状の被係合部１１５に係合する。
【００６７】
前記マルチコネクター１２１をカメラ１から外す場合には、前記係合解除釦１２８を押圧すれば、図２２に示すように、前記係合部１２７は、前記バネ１２９の付勢力に抗して逃げ方向に回動して、前記溝状の被係合部１１５との係合が外れてカメラ１から取外し可能な状態になる。
【００６８】
上述のように、前記マルチコネクター１２１が前記ストラップ金具７２と係合すうように構成したので、通常、このようにマルチコネクターとストラップ金具を係合させることのない構造のものと比較して、例えば前記マルチコネクター１２１のコードが引っ張られたりして強い力が掛かっても、直接、コネクター接続部に前記力が掛からなくなり、コネクターや端子を保護することができるという効果がある。
なお、図１、図２等の撮像装置の立体図に対して、図４〜図１８等は、撮像装置の各部を平面的に見たものであり、曲面や傾斜面、円筒面等については曲率半径や傾斜角度等に若干の相違があったとしてもそれは作図上のものであって同一符合部分は同一の部分を示す。また、図１、図２等の撮像装置の立体図と、図８、図９等に示す撮像装置の立体図との間において、曲面や傾斜面、円筒面等についても曲率半径や傾斜角度等に若干の相違があったとしてもこれも作図上のものである。また、断面図において、一部、ハッチング線を省略した。
（１１）作用、
先ず、メモリーカード蓋６７の作用について説明する。図２３に示すメモリーカード蓋６７を閉じた状態において、メモリーカード蓋６７は、図２６に示すように、クリック機構１５１のバネ材１５３の付勢力によって前記クリック軸１５２の第１のバネ接触面１５４が押圧されて閉じられた状態に維持されている。そして、メモリーカード収納部６６にメモリーカード１４８を挿入する際には、図２４に示すように、前記バネ材１５３の付勢力に抗してメモリーカード蓋６７を開方向に回動させると、前記ラック１４６とピニオン１４７によりメモリーカード蓋６７の回動支点軸１４４が長溝状の軸受１４５内をメモリーカード排出方向に移動する。
【００６９】
前記メモリーカード蓋６７が所定の角度回動すると、図２７に示すように、前記クリック軸１５２の境界部１５６が前記バネ材１５３に接触した状態になる。このとき前記メモリーカード蓋６７を回動させるのに要する力が最大になる。更にメモリーカード蓋６７を開方向に回動させると、図２８に示すように、前記バネ材１５３によって前記クリック軸１５２の第２のバネ接触面１５４が押圧されて、図２５に示すように、メモリーカード蓋６７は開放された状態に維持されるのである。
【００７０】
次に、バリヤ７の作用について説明する。前記バリヤ７が前記第１の位置に在るときには、前記トグルバネ１７で前記第１,第２のバリヤ係合体２５,２６に第１のストッパー部１８を押し付けて前記バリヤ７を開放状態に維持する。この前記バリヤ７の開放状態において、前記撮像レンズ４やオートフォーカス用の補助光の発光部５、フラッシュ用の発光部６は外部に露出した状態になる。前記筐体２の主面３から突出しているアイリス駆動機構８の一部は前記バリヤ７によって隠蔽されている。
【００７１】
一方、前記バリヤ７の内側体８１に取付けた金属板８３に切り起こし形成したスイッチ操作体押圧部８２によって、前記ベースプレート２１に取付けたスイッチ操作体２４が押圧され、該スイッチ操作体２４によって筐体２内に設けたバリヤ位置検出スイッチ（図示省略）が押圧操作されて、前記バリヤ７が開放位置に在ることが検出され、写真撮影が可能な状態になる。
【００７２】
写真撮影を終了して前記バリヤ７を前記第２の位置に移動させると、前記トグルバネ１７で前記第１,第２のバリヤ係合体２５,２６に第２のストッパー部１９を押し付けて前記バリヤ７を閉塞状態に維持する。この前記バリヤ７の閉塞状態において、前記撮像レンズ４やオートフォーカス用の補助光の発光部５、フラッシュの発光部６は前記バリヤ７で隠蔽された状態になる。また、前記筐体２の主面３から突出しているアイリス駆動機構８の一部は前記バリヤ７によって隠蔽された状態に維持される。
【００７３】
一方、前記バリヤ７の内側体８１に取付けた金属板８３に切り起こし形成したスイッチ操作体押圧部８２による前記ベースプレート２１に設けたスイッチ操作体２４の押圧および該スイッチ操作体２４による前記筐体２内に設けたバリヤ位置検出スイッチ（図示省略）の押圧が解除されて、前記バリヤ７が閉塞位置に在ることが検出される。
【００７４】
次に、バッテリー蓋およびバッテリーリリースレバーの作用について説明する。バッテリー１１１をバッテリー収納部６９に挿入するに際しては、先ず前記バッテリー蓋７０を開いた後に、前記バッテリーリリースレバー７１を前記バネ材１０８の付勢力に抗して押し戻してバッテリー１１１を挿入する。バッテリー１１１をバッテリー収納部６９に完全に収納したら、前記バッテリーリリースレバー７１の押し戻しを解除すると該バッテリーリリースレバー７１は、前記バネ材１０８のバネ力で自動的に前記バッテリー収納部６９の開口部６９ａの一部を塞ぐ位置まで復帰して、バッテリー１１１がバッテリー収納部６９から抜け出るのを防止する。そして、前記バッテリー蓋７０を閉じてバッテリー１１１の挿入作業が終了する。
【００７５】
前記バッテリー蓋７０を閉じた状態においても前記バッテリーリリースレバー７１は前記バッテリー蓋７０の側部に露出しているので、誤操作される危険性があるが、前述したように、前記バッテリーリリースレバー７１に蓋係合部１１３を設ける一方、前記バッテリー蓋７０にリリースレバー係合部１１４を設けたので、前記バッテリー蓋７０を閉じた状態にすると、図１５に示すように、前記蓋係合部１１３の側方に前記バッテリーリリースレバー係合部１１４が位置し、前記バッテリーリリースレバー７１を押し戻し方向に移動させようとすると、前記蓋係合部１１３が前記バッテリーリリースレバー係合部１１４に係合して前記バッテリー蓋７０を閉じた侭の状態で前記バッテリーリリースレバー７１が押し戻されるのを防止する。
【００７６】
また、前記バッテリー収納部６９からのバッテリー１１１の取り出しは、前記バッテリー蓋７０を開いた後に、前記バッテリーリリースレバー７１を前記バネ材１０８の付勢力に抗して押し戻すことによりなされる。前記バッテリーリリースレバー７１を押し戻して、バッテリー１１１の押さえを解除すると、図１６に示すように、バッテリー１１１は前記バッテリー接触端子１１２のバネ力等によりバッテリー収納部６９から僅かに押し出された状態になる。
【００７７】
前記バッテリー接触端子１１２のバネ力等によりバッテリー１１１が僅かに押し出された後に、前記バッテリーリリースレバー７１をバッテリー１１１に移動させれば、図１７に示すように、前記バッテリーリリースレバー７１のバッテリー係合部１０６の上面の傾斜状のバッテリー押出面１０６ａが前記バッテリー１１１のフレーム１１１ａに設けた傾斜面１１１ｂを押して前記バッテリー１１１を更にバッテリー収納部６９から押し出す。
（１２）他の実施例
上記実施例においては、本発明の電子機器として撮像装置としてのデジタルカメラを例にとって説明したが、本発明を適用する電子機器は、デジタルカメラ等の撮像装置のほか、例えば、携帯電話機、携帯型のゲーム機、携帯型のコンピュータ等の小型の電子機器に広く適用される。また、実施例では、メモリーカード収納部を開閉する蓋を例にとって説明したがバッテリー蓋など電子機器に設けられた各種の部品収納部の蓋に用いられる。
【図面の簡単な説明】
【００７８】
【図１Ａ】バリヤを第１の位置（開放位置）に移動させた状態の斜視図。
【図１Ｂ】バリヤを第２の位置（閉塞位置）に移動させた状態の斜視図。
【図２Ａ】カメラを背面側から見た斜視図。
【図２Ｂ】カメラを底面側から見た斜視図。
【図３】バリヤを取外した状態の斜視図。
【図４】バリヤの分解斜視図。
【図５】ローラの取付けを示す斜視図。
【図６Ａ】トグルバネの作用を示す説明図。
【図６Ｂ】トグルバネの作用を示す説明図。
【図７】トグルバネの説明図。
【図８】バッテリー蓋を閉じた状態の斜視図。
【図９】バッテリー蓋を開いた状態の斜視図。
【図１０】バッテリー蓋と軸を示す斜視図。
【図１１】バッテリー蓋に軸を取付けた状態の正面図。
【図１２Ａ】軸の一端部に設けたバネ部の作用を示す説明図。
【図１２Ｂ】軸の一端部に設けたバネ部の作用を示す説明図。
【図１２Ｃ】軸の一端部に設けたバネ部の作用を示す説明図。
【図１３】バッテリー蓋を開いてバッテリーを収納する前の状態を示す斜視図。
【図１４】バッテリーを収納しバッテリー蓋を閉じた状態を示す斜視図。
【図１５】バッテリーリリースレバーが押し戻せなくなった状態を示す説明図。
【図１６】バッテリー収納部内の端子によりバッテリーが押出された状態の説明図。
【図１７】バッテリーリリースレバーでバッテリーを押出す状態を示す説明図。
【図１８】ストラップ金具の側面図。
【図１９】カメラにマルチコネクターを取付ける前の状態の斜視図。
【図２０】カメラにマルチコネクターを取付けた状態の斜視図。
【図２１】マルチコネクターがストラップ金具にロックされている状態の断面図。
【図２２】ロックが解除された状態の断面図。
【図２３】メモリーカード蓋を閉じた状態の蓋回動機構の断面図。
【図２４】メモリーカード蓋を半開きした状態の蓋回動機構の断面図。
【図２５】メモリーカード蓋を開いた状態の蓋回動機構の断面図。
【図２６】メモリーカード蓋を閉じた状態のクリック機構の断面図。
【図２７】メモリーカード蓋を半開きした状態のクリック機構の断面図。
【図２８】メモリーカード蓋を開いた状態のクリック機構の断面図。
【図２９】メモリーカード蓋を開いた状態の斜視図。
【図３０】従来例の説明図。
【図３１】従来例の問題点を示す説明図。
【符号の説明】
【００７９】
１…デジタルカメラ、２…筐体、３…第１の主面、４…撮像レンズ、６８…筐体の端面、６６…メモリーカード収納部、６６ａ…開口部、６７…メモリーカード蓋、１４１…端面重合部（蓋本体部）、１４２…主面重合部、、１４３…蓋回動機構、１４４…回動支点軸、１４５…長溝状の軸受、１４６…ラック、１４７…ピニオン、１４８…メモリーカード、１５１…クリック機構、１５２…クリック軸、１５３…バネ材、１５４…第１のバネ接触面、１５５…第１のバネ接触面、１５６…境界部。
【図１Ａ】
2006186207.tif 000003
【図１Ｂ】
2006186207.tif 000004
【図２Ａ】
2006186207.tif 000005
【図２Ｂ】
2006186207.tif 000006
【図３】
2006186207.tif 000007
【図４】
2006186207.tif 000008
【図５】
2006186207.tif 000009
【図６Ａ】
2006186207.tif 000010
【図６Ｂ】
2006186207.tif 000011
【図７】
2006186207.tif 000012
【図８】
2006186207.tif 000013
【図９】
2006186207.tif 000014
【図１０】
2006186207.tif 000015
【図１１】
2006186207.tif 000016
【図１２Ａ】
2006186207.tif 000017
【図１２Ｂ】
2006186207.tif 000018
【図１２Ｃ】
2006186207.tif 000019
【図１３】
2006186207.tif 000020
【図１４】
2006186207.tif 000021
【図１５】
2006186207.tif 000022
【図１６】
2006186207.tif 000023
【図１７】
2006186207.tif 000024
【図１８】
2006186207.tif 000025
【図１９】
2006186207.tif 000026
【図２０】
2006186207.tif 000027
【図２１】
2006186207.tif 000028
【図２２】
2006186207.tif 000029
【図２３】
2006186207.tif 000030
【図２４】
2006186207.tif 000031
【図２５】
2006186207.tif 000032
【図２６】
2006186207.tif 000033
【図２７】
2006186207.tif 000034
【図２８】
2006186207.tif 000035
【図２９】
2006186207.tif 000036
【図３０】
2006186207.tif 000037
【図３１】
2006186207.tif 000038